(57)【特許請求の範囲】
【請求項１】
撮影光学系を透過した光束をファインダスクリーンに導くことにより、ファインダスクリーン上に形成された被写体像を接眼レンズで観察する一眼レフカメラにおいて、
前記ファインダスクリーンの近傍に設けられ、前記撮影光学系の射出瞳を接眼レンズ見口側瞳位置と共役にする作用を有するコンデンサレンズと、
前記ファインダスクリーン上の所定の投影領域に撮影情報を投影表示する撮影情報投影手段と、
前記撮影光学系とファインダスクリーンの間に設けられた半透過ミラーとを備え、
前記撮影情報投影手段は前記半透過ミラーを透過させて前記撮影情報を投影し、前記撮影情報投影手段による前記撮影情報の投影光路は、前記撮影光学系の射出瞳内の任意の点と前記投影領域内の任意の点とを結ぶ線にほぼ一致し、
前記半透過ミラーの４５°透過率は、前記撮影情報投影手段の発光体の発光波長域における平均値が可視領域における平均値よりも高いことを特徴とする一眼レフカメラのファインダ内表示装置。
【請求項２】
前記撮影情報投影手段が、発光体と、この発光体により照明される情報チャートと、この情報チャートの像を前記ファインダスクリーン上に結像させる投影レンズとを備えることを特徴とする請求項１に記載のファインダ内表示装置。
【請求項３】
前記コンデンサレンズがフレネルレンズとして形成されることを特徴とする請求項１に記載のファインダ内表示装置。
【発明の詳細な説明】
【０００１】
【発明の属する技術分野】
本発明は、一眼レフカメラのファインダ内に表示された被写体像に撮影情報等を重ねて表示する、ファインダ内表示装置に関する。
【０００２】
【従来の技術】
従来の一眼レフカメラのファインダ内表示装置として、例えば特開平６−３２４３９３号公報に開示されたものが知られている。図１は、この従来装置の一眼レフカメラの光学系を示し、図２は図１に示す光学系を、撮影光学系の光軸が一直線となるように展開して示す図である。これらの図に示すようにファインダ内表示装置において、傾斜状態にあるクイックリターンミラー４０の先端部近傍に撮影報投影部５０が配設されている。撮影情報投影部５０は発光ダイオード５１の上方に情報チャート５２を配設するとともに、情報チャート５２の上方に投影用レンズ５３を設けて構成されている。情報チャート５２には撮影情報に対応した文字等が形成されており、発光ダイオード５１を発光させることにより、クイックリターンミラー４０の上方に設けられたピント板４１に撮影情報の文字等が結像される。この撮影情報はファインダの接眼レンズ４２によって、被写体像とともに観察される。
【０００３】
【発明が解決しようとする課題】
このように従来の撮影情報投影部５０は、ピント板４１の縁部に対向した位置に設けられ、撮影情報の投影光路はクイックリターンミラー４０には干渉しない。すなわち撮影光学系４３を透過した光束Ｋ１と撮影情報投影部５０から出射された光束Ｋ２とは、相互に異なる入射角でピント板４１に入射する。ピント板４１にはフレネルレンズが設けられており、撮影光学系４３からの光束Ｋ１の殆どが接眼レンズ４２に導かれる一方、撮影情報投影部４３から接眼レンズ４２に導かれる光はごく一部である。このため、ファインダ内において撮影情報の表示が暗くなる傾向にあり、接眼レンズ４２に対する撮影者の目Ｅの位置によっては撮影情報の表示が見えなくなったりすることがあった。
【０００４】
本発明は、ファインダ内における撮影情報の表示をさらに明るくし、見やすくすることを目的としている。
【０００５】
【課題を解決するための手段】
本発明に係る一眼レフカメラのファインダ内表示装置は、撮影光学系を透過した光束をファインダスクリーンに導くことにより、ファインダスクリーン上に形成された被写体像を接眼レンズで観察する一眼レフカメラにおいて、ファインダスクリーンの近傍に設けられ、撮影光学系の射出瞳を接眼レンズ見口側瞳位置と共役にする作用を有するコンデンサレンズと、ファインダスクリーン上の所定の投影領域に撮影情報を投影表示する撮影情報投影手段とを備え、この撮影情報投影手段による前記撮影情報の投影光路は、撮影光学系の射出瞳内の任意の点と投影領域内の任意の点とを結ぶ線にほぼ一致していることを特徴としている。
【０００６】
撮影光学系とファインダスクリーンの間には、撮影光学系を透過した光をファインダスクリーンに導くためのミラーが設けられる。このミラーは例えば半透過ミラーであり、撮影情報投影手段はこの半透過ミラーを透過させて撮影情報を投影する。
【０００７】
撮影情報投影手段は例えば、発光体と、この発光体により照明される情報チャートと、この情報チャートの像をファインダスクリーン上に結像させる投影レンズとを備える。
【０００８】
コンデンサレンズは例えばフレネルレンズとして形成される。
【０００９】
【発明の実施の形態】
以下、本発明の実施の形態を図面を参照して説明する。
図３は、本発明の一実施形態を適用した一眼レフカメラの光学系を示す図である。図４は、図３に示す光学系を、撮影光学系の光軸が一直線となるように展開して示す図である。
【００１０】
ピント板１１はペンタプリズム２０の下面すなわち入射面２１に対向し、ファインダの接眼レンズ１２はペンタプリズム２０の背面に形成された出射面２２に対向している。クイックリターンミラー１３はピント板１１の下方に設けられ、撮影光学系１４はクイックリターンミラー１３の前方に設けられている。クイックリターンミラー１３は半透過ミラーであり、またペンタプリズム２０の出射面２２側の部位に設けられた支持軸１５に支持され、図３に示す傾斜位置とピント板１１に平行になる水平位置との間において回動自在である。
【００１１】
ピント板１１の上面１１ａすなわちペンタプリズム２０の入射面２１に対向した面は拡散面であり、ピント板１１の下面１１ｂには、コンデンサレンズであるフレネルレンズが形成されている。このフレネルレンズは撮影光学系１４の射出瞳を接眼レンズ１２の見口側瞳位置と共役にする作用を有する。
【００１２】
クイックリターンミラー１３が傾斜位置にあって撮影光学系１４内の絞りが開放しているとき、撮影光学系１４を透過した光束はクイックリターンミラー１３で反射し、ピント板１１のファインダスクリーンすなわち上面１１ａに導かれ、ここに被写体像が形成される。この被写体像は、ペンタプリズム２０と接眼レンズ１２を介して、撮影者の目Ｅによって観察される。これに対してクイックリターンミラー１３が水平位置にあるとき、図示しないシャッターの開閉に応じて、撮影光学系１４を透過した光束はクイックリターンミラー１３の下方を通って図示しないフィルム面に導かれ、被写体像がフィルム面に記録される。
【００１３】
クイックリターンミラー１３の先端部の下方には、撮影情報投影ユニット３０が設けられている。撮影情報投影ユニット３０は、発光体であるＬＥＤ３１と、このＬＥＤ３１により照明される情報チャート３２と、投影レンズ３３とを有する。情報チャート３２はＬＥＤ３１よりもピント板１１側に配設され、投影レンズ３３は情報チャート３２よりもピント板１１側に設けられている。
【００１４】
情報チャート３２には撮影情報に対応した文字表示が形成されている。図５は情報チャート３２の例を示し、この情報チャート３２は透過率の高い周辺部分３２ａの中心に、透過率の低い「Ｐ」の文字表示３２ｂを形成して構成されている。なお、この文字表示の「Ｐ」はパノラマ撮影モードを示している。情報チャート３２の像は、投影レンズ３３によってピント板１１の上面１１ａ( ファインダスクリーン）の所定の投影領域に投影表示され、この投影領域は被写体像が結像される領域よりも外側である。図６は、ピント板１１上に形成される情報チャート３２の像の例を示し、文字表示の像１１ｃはパノラマサイズ枠１１ｄの外側に形成されている。
【００１５】
図４に示すように撮影光学系１４の光軸を展開した状態において、撮影情報投影ユニット３０は、撮影光学系１４の射出瞳の中心Ｐ１と、ピント板１１上の投影領域の幾何学的中心Ｑ（図６の場合、像１１ｃの幾何学的中心）とを結ぶ直線Ｊに配設されており、撮影情報投影ユニット３０の光軸は直線Ｊにほぼ一致している。すなわち撮影光学系１４から出射される光束の主光線は直線Ｊにほぼ一致しており、撮影情報はクイックリターンミラー１３を透過してピント板１１上の投影領域に投影される。
【００１６】
図７はクイックリターンミラー１３の半透過ミラーとしての特性を示す図である。実線Ａは視感度を示し、実線Ｂは撮影情報投影ユニット３０のＬＥＤ３１の光強度分布を示し、実線Ｃは半透過ミラーの４５°透過率を示している。この図に示すように、半透過ミラーの可視領域における４５°透過率の平均値Ｖ２よりもＬＥＤ３１の発光波長域における４５°透過率の平均値Ｖ１の方が高い。
【００１７】
したがって、撮影情報投影ユニット３０によって投影された撮影情報は、効率よくクイックリターンミラー１３を透過してピント板１１に投影され、さらに効率よく接眼レンズ１２に導かれて鮮明な撮影情報が観察される。
【００１８】
以上のように本実施形態によれば、撮影情報投影ユニット３０によって投影される撮影情報に対応した光束は効率的に接眼レンズ１２に導かれ、ファインダ内における撮影情報の表示が従来よりも明るくなるとともに、見やすくなる。したがって従来と比較して、ＬＥＤ３１の光量が少なくてすむとともに、ＬＥＤ３１を発光させるために必要な消費電流を削減することができる。
【００１９】
なお上記実施形態では、撮影光学系１４の光軸を展開した状態において、撮影情報投影ユニット３０の光軸と主光線がほぼ一致していたが、この光軸は必ずしも主光線と一致する必要はなく、例えばピント板１１に垂直であってもよい。この場合、情報チャート３２を例えばピント板１１に平行な方向に移動させることにより、情報チャート３２の像のピント板１１上における結像位置を調整することができる。
【００２０】
【発明の効果】
以上のように本発明によれば、ファインダ内における撮影情報の表示が明るく、かつ見やすくなる。
【図面の簡単な説明】
【図１】従来の一眼レフカメラの光学系を示す図である。
【図２】図１に示す光学系を撮影光学系の光軸が一直線になるように展開して示す図である。
【図３】本発明の一実施形態を適用した一眼レフカメラの光学系を示す図である。
【図４】図３に示す光学系を撮影光学系の光軸が一直線になるように展開して示す図である。
【図５】情報チャートの例を示す図である。
【図６】ピント板上において情報チャートの像が結像される投影領域の例を示す図である。
【図７】クイックリターンミラーの半透過ミラーとしての特性を示す図である。
【符号の説明】
１１  ピント板
１１ａ  ファインダスクリーン
１１ｂ  フレネルレンズ
１２  接眼レンズ
１３  クイックリターンミラー
２０  ペンタプリズム
３０  撮影情報投影ユニット
３１  ＬＥＤ
３２  情報チャート
３３  投影レンズ
【図１】
0004027476.tif 000002
【図２】
0004027476.tif 000003
【図３】
0004027476.tif 000004
【図４】
0004027476.tif 000005
【図５】
0004027476.tif 000006
【図６】
0004027476.tif 000007
【図７】
0004027476.tif 000008